(57)【特許請求の範囲】
【請求項１】
指針を支持する指針部と前記指針部を搬送する略半円弧状又は楕円形状をした搬送部とを備えた指針移動装置と、中心近傍に開口部を有する半円板状の目盛板で塞がれるケース本体から成る収納ケースと、を有し、前記指針移動装置を前記収納ケース内に収納して前記指針が前記目盛板の目盛を指示するようにしたセンターレス指針式表示装置において、
前記搬送部が断面が縦コ字状をしたガイドレールと前記ガイドレールに沿って移動するワイヤを備え、
前記指針部が、上部プーリを支持する第１支持部と下部プーリを支持する第２支持部を備えかつスプリングの下部で前記第１支持部材を押圧しかつスプリングの上部で前記第２支持部材を押圧するようにスプリングを、前記第１支持部材と前記第２支持部材との間に介在させることで、前記第１支持部の上部プーリと前記第２支持部の下部プーリでそれぞれ前記ガイドレールの上部と下部を把持し、
前記上部プーリと前記下部プーリを結ぶ線上の前記指針部の中間部位に前記ワイヤを固定するワイヤ固定部を設け、かつ、前記ワイヤ固定部に前記ワイヤを固定したことを特徴とするセンターレス指針式表示装置。
【請求項２】
前記指針部の上部に２個のプーリを設け、前記上部の２個のプーリを結ぶ直角二等分線上に前記下部のプーリを設けたことを特徴とする請求項１記載のセンターレス指針式表示装置。
【請求項３】
指針を支持する指針部と前記指針部を搬送する略半円弧状又は楕円形状をした搬送部とを備えた指針移動装置と、中心近傍に開口部を有する半円板状の目盛板で塞がれるケース本体から成る収納ケースと、を有し、前記指針移動装置を前記収納ケース内に収納して前記指針が前記目盛板の目盛を指示するようにしたセンターレス指針式表示装置において、
前記搬送部が断面が縦コ字状をしたガイドレールと前記ガイドレールに沿って移動するワイヤを備え、
前記指針部が、上部プーリを支持する第１支持部と下部プーリを支持する第２支持部を備えかつスプリングの下部で前記第１支持部材を押圧しかつスプリングの上部で前記第２支持部材を押圧するようにスプリングを、前記第１支持部材と前記第２支持部材との間に介在させることで、前記第１支持部の上部プーリと前記第２支持部の下部プーリでそれぞれ前記ガイドレールの上部と下部を把持し、
前記上部プーリと前記下部プーリを結ぶ線上の前記指針部の中間部位に前記ワイヤを固定するワイヤ固定部を設け、かつ、前記ワイヤ固定部に前記ワイヤを固定し、
さらに、前記第２支持部材にストッパー用爪を形成し、かつ、前記第１支持部材と前記第２支持部材とを組み合わせた状態で前記ストッパー用爪が挿入する規制用穴部を前記第１支持部材に形成したことを特徴とする請求項１または２記載のセンターレス指針式表示装置。
【発明の詳細な説明】
【技術分野】
【０００１】
本発明は、例えば自動車などの車両に搭載される指針式表示装置に関し、特に指針の回転中心をなくして開口部とし、指針だけが円弧上に移動するようにした、いわゆるセンターレス指針式表示装置に関する。
【背景技術】
【０００２】
指針の回転中心を開口部とし、指針だけが円弧上に移動するようなセンターレス指針式表示装置は、例えば特許文献１および２に記載されているものが知られている。
【先行技術文献】
【特許文献】
【０００３】
【特許文献１】特開２００５−４３９２３号公報
【特許文献２】特開２００９−４２０３４号公報
【０００４】
〈特許文献１記載の発明〉
特許文献１記載の発明は、指針部と搬送部との間の摩擦抵抗を小さくするようにしたセンターレス指針式表示装置であって、表示装置の前方に配置され表示面を視認可能に設けられる指針部と、この指針部に設けられる指針と、指針部を移動させることで指針に指標部を指示させる駆動装置と、指針部を移動可能に支持するガイドとを備えた指針式計器において、その指針部とガイドとの接触部分に潤滑部材を設けるようにしたものである。
《問題点》
特許文献１記載のセンターレス指針式表示装置は潤滑部材を設けて摩擦抵抗を小さくするものではあるが、しかしながら、歯列の並ぶ柔軟部材を用いているため摩擦抵抗を小さくするにはどうしても限界があった。
【０００５】
〈特許文献２記載の発明〉
特許文献２記載の発明は、歯列の並ぶ柔軟部材を用いないセンターレス指針式表示装置であって、指針を移動させる移動機構を、指針取付体に連結された柔軟部材と、柔軟部材の一端側が巻き付けられた第１プーリと、柔軟部材の他端側が巻き付けられた第２プーリと、第１プーリが柔軟部材を巻き取る方向に回転するように第１プーリを付勢する渦巻バネと、第２プーリを計測量に応じて回転させることにより、柔軟部材をその長手方向に沿って移動させるモータと、柔軟部材の移動軌跡を規定する複数のガイドプーリとで構成してなるものである。これによれば、指針部と搬送部との間の摩擦抵抗を小さくしたセンターレス指針式表示装置が得られる。
《問題点》
しかしながら、指針を移動機構の取付体に直に取り付けているので、指針を安定して走行させるには適当でなかった。
【発明の概要】
【発明が解決しようとする課題】
【０００６】
本発明は、このような問題点を解決するためになされたもので、指針部と搬送部との間の摩擦抵抗を小さくし、かつ指針を安定して走行させることのできるセンターレス指針式表示装置を提供することを第１の目的としている。
【課題を解決するための手段】
【０００７】
上記課題を解決するため、本願の第１発明は、センターレス指針式表示装置に係り、指針を支持する指針部と前記指針部を搬送する略半円弧状又は楕円形状をした搬送部とを備えた指針移動装置と、中心近傍に開口部を有する半円板状の目盛板で塞がれるケース本体から成る収納ケースと、を有し、前記指針移動装置を前記収納ケース内に収納して前記指針が前記目盛板の目盛を指示するようにしたセンターレス指針式表示装置において、前記搬送部が断面が縦コ字状をしたガイドレールと前記ガイドレールに沿って移動するワイヤを備え、前記指針部が、上部プーリを支持する第１支持部と下部プーリを支持する第２支持部を備えかつスプリングの下部で前記第１支持部材を押圧しかつスプリングの上部で前記第２支持部材を押圧するようにスプリングを、前記第１支持部材と前記第２支持部材との間に介在させることで、前記第１支持部の上部プーリと前記第２支持部の下部プーリでそれぞれ前記ガイドレールの上部と下部を把持し、前記上部プーリと前記下部プーリを結ぶ線上の前記指針部の中間部位に前記ワイヤを固定するワイヤ固定部を設け、かつ、前記ワイヤ固定部に前記ワイヤを固定したことを特徴としている。
【０００８】
本願の第２発明は、第１発明のセンターレス指針式表示装置において、前記指針部の上部に２個のプーリを設け、前記上部の２個のプーリを結ぶ直角二等分線上に前記下部のプーリを設けたことを特徴としている。
【００１０】
本願の第３発明は、指針を支持する指針部と前記指針部を搬送する略半円弧状又は楕円形状をした搬送部とを備えた指針移動装置と、中心近傍に開口部を有する半円板状の目盛板で塞がれるケース本体から成る収納ケースと、を有し、前記指針移動装置を前記収納ケース内に収納して前記指針が前記目盛板の目盛を指示するようにしたセンターレス指針式表示装置において、前記搬送部が断面が縦コ字状をしたガイドレールと前記ガイドレールに沿って移動するワイヤを備え、前記指針部が、上部プーリを支持する第１支持部と下部プーリを支持する第２支持部を備えかつスプリングの下部で前記第１支持部材を押圧しかつスプリングの上部で前記第２支持部材を押圧するようにスプリングを、前記第１支持部材と前記第２支持部材との間に介在させることで、前記第１支持部の上部プーリと前記第２支持部の下部プーリでそれぞれ前記ガイドレールの上部と下部を把持し、前記上部プーリと前記下部プーリを結ぶ線上の前記指針部の中間部位に前記ワイヤを固定するワイヤ固定部を設け、かつ、前記ワイヤ固定部に前記ワイヤを固定し、さらに、前記第２支持部材にストッパー用爪を形成し、かつ、前記第１支持部材と前記第２支持部材とを組み合わせた状態で前記ストッパー用爪が挿入する規制用穴部を前記第１支持部材に形成したことを特徴としている。
【発明の効果】
【００１１】
第１発明によれば、ワイヤ固定部で固定されたワイヤが指針部に作用する力が、ガイドレールとプーリ間に働く力と同じ線上にあるので、指針部の指針には回転力が生じなくなり、傾くことがないため、指針の指示ズレおよびプーリとガイドレール間の摺動摩擦増加がなくなる。
また、第２発明によれば、ガイドレールが３個のプーリで把持されるので、指針を安定して走行させることができる。
また、第３発明によれば、第１支持部材に第２支持部材を取り付けた時点で、スプリングの張力によりガイドレールに押さえ付けられる力以上の外力がスプリングの張力の反対方向に働いた場合でも、指針取付部がガイドレールから脱落するのを防止することができるようになる。
【図面の簡単な説明】
【００１２】
【図１】図１は本発明に係る指針移動装置を備えたセンターレス指針式表示装置の分解斜視図である。
【図２】図２は本発明に係るセンターレス指針式表示装置の要部である指針移動装置の斜視図である。
【図３】図３は図２の指針移動装置の分解斜視図である。
【図４】図４は図２の指針移動装置の縦断面図である。
【図５】図５は先行発明の指針移動装置を備えたセンターレス指針式表示装置の分解斜視図である。
【図６】図６は先行発明の指針移動装置を搬送する搬送部の斜視図である。
【図７】図７は図６の搬送部の分解斜視図である。
【図８】図８は先行発明に係る指針移動装置の分解斜視図である。
【図９】図９は図８の指針移動装置の縦断面図である。
【図１０】図１０は図６の指針移動装置の指針部の拡大斜視図である。
【図１１】図１１は先行発明に係る指針移動装置の問題点を説明する指針移動装置の縦断面図である。
【図１２】図１２は先行発明に係る図８の指針の改良例を備えた指針移動装置の縦断面図で、（Ａ）は組み付け後、（Ｂ）は組み付け前である。
【図１３】本発明の第２実施形態である指針移動装置の分解斜視図である。
【図１４】図１３の指針移動装置の縦断面図である。
【発明を実施するための形態】
【００１３】
以下に、指針部と搬送部との間の摩擦抵抗を小さくし、かつ指針を安定して走行させることのできるセンターレス指針式表示装置について、図面を用いて説明する。
【００１４】
〈先行発明〉
先ず、本発明が生まれる基礎となった先行発明について図５〜図９を用いて説明する。
先行発明も同じく、指針部と搬送部との間の摩擦抵抗を小さくし、かつ指針を安定して走行させることのできるセンターレス指針式表示装置を提供するための発明で、図５は先行発明に係る指針移動装置を備えたセンターレス指針式表示装置の分解斜視図、図６は指針移動装置を搬送する搬送部の斜視図、図７は搬送部の分解斜視図である。
図５において、センターレス指針式表示装置１００は、大きく指針移動装置２００と指針移動装置２００を内部に収納固定する収納ケース３００とから成っている。そして、指針移動装置２００は指針部２１０と指針部２１０を搬送する搬送部２２０とから成り、収納ケース３００はケース本体３１０とケース本体３１０を塞ぐ目盛板３２０とから成っている。
以下、ケース本体３１０と目盛板３２０と指針部２１０と搬送部２２０について説明する。
【００１５】
〈ケース本体３１０〉
ケース本体３１０は運転者側に半円状開口部３１０Ｋ（図５）を有するそれ自体が半円状をしたプラスチック製ケースで、内部空間の底部３１０Ｔの一端（図５で左端近傍）に指針移動装置２００を収納するためのテンション部品２２０Ｓ（図７）を収容する収容ケース２２０Ｃ（図６）を固定すると共に、底部３１０Ｔの他端（図５で右端近傍）にモータ２２０Ｍ（図６、図７）で正逆回転させられる巻き戻しプーリ２２０Ｐを固定している。
【００１６】
〈目盛板３２０〉
目盛板３２０はそれ自体半円状をしたプラスチック製薄板で、半円の中心から所定半径の半円状の開口３２０Ｋが開けられており、開口３２０Ｋの外周に目盛が円弧状に記載されている。図５はスピードメータの目盛例を示しており、０、２０、４０、・・・、１４０、１６０（ｋｍ／時間）の数字が略半円弧又は楕円形状にそれぞれ所定の間隔をあけて記載されている。目盛板３２０はケース本体３１０の半円状開口部３１０Ｋを塞ぐようにケース本体３１０に取り付けられる。開口３２０Ｋの内側空間には液晶表示器などが配置される。目盛板３２０の裏側にはガイドレール２２０Ｒ（図７）が配置される。
【００１７】
〈指針部２１０〉
《指針２１０Ｃの第１支持部材２１０Ａへの取り付け》
搬送部２２０（図６）の上を移動する指針部２１０は、図８の分解斜視図および図９の縦断面図から分かるように、第１支持部材２１０Ａと第２支持部材２１０Ｂとがコイルスプリング２１０Ｓを挟んで一体に嵌合された支持部材２１０Ｚと、第１支持部材２１０Ａに嵌合する指針２１０Ｃとから成っている。すなわち、第１支持部材２１０Ａの上部端面に片持ちアーム状の指針固定部２１０Ｋを形成し、一方、縦に長尺状をした指針２１０Ｃの長手方向の下端から上端に向かうに従って徐々に厚みが太くなる錐状に形成されたその上端幅広部に固定用開口部２１０Ｌを形成し、この固定用開口部２１０Ｌに指針固定部２１０Ｋが嵌合することで指針２１０Ｃが第１支持部材２１０Ａに、したがってまた支持部材２１０Ｚに、取り付けられる。
【００１８】
《指針部２１０のワイヤ２２０Ｗへの固定》
さらに、第１支持部材２１０Ａの上部中央にワイヤ固定溝２１０Ｗ（図９）が形成されており、このワイヤ固定溝２１０Ｗにワイヤ２２０Ｗ（図９）が食い込み固定されている。
したがってワイヤ２２０Ｗが搬送部２２０によって引き出されたり・巻き戻されることで、第１支持部材２１０Ａは、したがってまた指針部２１０は目盛板３２０（図５）の目盛の延在方向に沿って移動するようになる。
【００１９】
《指針部２１０のガイドレール２２０Ｒへの取り付け》
図８および図９から分かるように、第１支持部材２１０Ａの上部で指針固定部２１０Ｋの軸方向を挟んで前後にあるそれぞれのプーリ軸支持部２１０Ｑ１を介して上プーリ２１０Ｐ１、２１０Ｐ１がそれぞれ設けられ、また、第２支持部材２１０Ｂの下端には第１支持部材２１０Ａの指針固定部２１０Ｋの軸方向にプーリ軸支持部２１０Ｑ２を介して下プーリ２１０Ｐ２が設けられている。
また、第１支持部材２１０Ａにはコイルスプリング２１０Ｓの側面を一部収容する収容溝２１０Ｍａとコイルスプリング２１０Ｓの下部を押さえる当接部２１０Ｔａが形成されており、第２支持部材２１０Ｂにはコイルスプリング２１０Ｓの前記側面と反対側の側面を一部収容する収容溝２１０Ｍｂとコイルスプリング２１０Ｓの上部を押さえる当接部２１０Ｔｂが形成されている。
したがって、第１支持部材２１０Ａの収容溝２１０Ｍａと第２支持部材２１０Ｂの収容溝２１０Ｍｂ間にコイルスプリング２１０Ｓを収容し、かつ第１支持部材２１０Ａの当接部２１０Ｔａと第２支持部材２１０Ｂの当接部２１０Ｔｂとの間にコイルスプリング２１０Ｓの下部と上部を収容することで、コイルスプリング２１０Ｓに反発力が生じ、この反発力が第１支持部材２１０Ａを下方へ押し、かつ第２支持部材２１０Ｂを上方へ押すように作用し、その結果、上プーリ２１０Ｐ１と下プーリ２１０Ｐ２が常時互いに接近する方向に付勢されるようになる。
したがって、２個の上プーリ２１０Ｐ１の凹部と１個の下プーリ２１０Ｐ２の凹部間にガイドレール２２０Ｒの上下の凸部２２０Ｔ１、２２０Ｔ２を挟むことで、支持部材２１Ｚは、すなわち、指針部２１０はガイドレール２２０Ｒに確実に把持され、これにより指針部２１０は搬送部２２０の上を搬送されるようになる。
【００２０】
〈搬送部２２０〉
図５の搬送部２２０は、図６に示すように、ガイドレール２２０Ｒと、ガイドレール２２０Ｒの一長辺面に所定間隔をあけて設けられた複数のガイドプーリ２２０Ｇと、各ガイドプーリ２２０Ｇに亘って引き渡されるワイヤ２２０Ｗと、略半円弧又は楕円形状のガイドレール２２０Ｒの長さ方向の一端（図７で左側）に設けられて常時反円弧方向にテンションを加えるテンション部品２２０Ｓと、ガイドレール２２０Ｒの他端（図７で右側）に設けられた巻き戻しプーリ２２０Ｐと、巻き戻しプーリ２２０Ｐを正逆回転させるモータ２２０Ｍと、指針部２１０にある照明用ＬＥＤへ給電するための略半円弧又は楕円形状の導電部品２２０Ｌと、同じく導電部品２２０Ｌを覆うための導電部品カバー２２０Ｋとを備えている。  
《ガイドレール２２０Ｒの形状》
ガイドレール２２０Ｒは、長さ方向には略半円弧又は楕円形状をしており、その断面は細長い長方形（図９）であり、その上下の短辺の中央部にそれぞれ凸部２２０Ｔ１、２２０Ｔ２を備えている。
《ワイヤ２２０Ｗの可動原理》
また、ワイヤ２２０Ｗの一端（図７で左側）をテンション部品２２０Ｓに結合してワイヤ２２０Ｗを常時反円弧方向に付勢すると共にワイヤ２２０Ｗの他端（図７で右側）を巻き戻しプーリ２２０Ｐに結合してモータ２２０Ｍの正回転によってワイヤ２２０Ｗを所望の長さだけテンション部品２２０Ｓ側から引き出し、またモータ２２０Ｍの逆回転によってワイヤ２２０Ｗを所望の長さだけテンション部品２２０Ｓによってテンション部品２２０Ｓ側へ巻き戻すことができるようにしている。
【００２１】
〈指針部２１０の搬送部２２０への取り付け〉
指針部２１０を搬送部２２０へ取り付けるには、図９で説明したように、搬送部２２０のガイドレール２２０Ｒの上下にそれぞれ指針部２１０の２個の上プーリ２１０Ｐ１の凹部と１個の下プーリ２１０Ｐ２の凹部間にガイドレール２２０Ｒの上下の凸部２２０Ｔを挟むことで、支持部材２１０Ｚはガイドレール２２０Ｒに確実に取り付けられる。
そして、ワイヤ２２０Ｗが第１支持部材２１０Ａに形成されたワイヤ固定溝２１０Ｗ（図９）に食い込み固定されているので、モータ２２０Ｍ（図７）の正逆回転によりワイヤ２２０Ｗが所望の長さだけテンション部品２２０Ｓ（図７）側から引き出されたり、引き戻されたりする毎に、指針部２１０は目盛板３２０の目盛（図５）の延在方向に沿って移動するようになる。
【００２２】
〈先行発明の問題点１〉
以上の先行発明により、搬送部２２０のガイドレール２２０Ｒに取り付けられた指針部２１０は搬送部２２０の上を確実に搬送されるようになった。しかしながら、その後、先行発明の表示装置を検証したところ、（１）指針２１０Ｃの指示ズレ、と（２）上プーリ２１０Ｐ１・下プーリ２１０Ｐ２とガイドレール２２０Ｒ間の摺動摩擦の増加、とが見つかった。
【００２３】
〈本発明の第２の目的〉
そこで本発明は、従来の表示装置の持つ問題点を解消するという第１の目的（指針部と搬送部との間の摩擦抵抗を小さくし、かつ指針を安定して走行させる）に加えて、先行発明の持つ問題点である（１）指針２１０Ｃの指示ズレ、および（２）上プーリ２１０Ｐ１・下プーリ２１０Ｐ２とガイドレール２２０Ｒ間の摺動摩擦の増加を解消することを第２の目的としている。
以下に、第１の目的と第２の目的を達成する本発明について、図面を用いて説明する。
【００２４】
〈先行発明の問題点が生じる原因〉
先行発明の上記問題点が生じる原因について図１０および図１１を用いて説明する。
テンション部品２２０Ｓ（図７）とモータ２２０Ｍによるワイヤ２２０Ｗの巻き取りによって、指針部２１０のワイヤ固定溝２１０Ｗ（図９、図１１）には、真下のＦａ方向（図１０）に力が発生している。
ところが、指針部２１０がガイドレール２２０Ｒに支持されている部位は、図１１に示すように、コイルスプリング２１０Ｓの張力Ｆｂ１によりガイドレール２２０Ｒに上プーリ２１０Ｐ１および下プーリ２１０Ｐ２を介して把持されている部位である。
したがって、指針部２１０にＦａ方向の力を与えるワイヤ２２０Ｗの位置がガイドレール２２０Ｒと上プーリ２１０Ｐ１・下プーリ２１０Ｐ２に働く力Ｆｂ２の同一線上にないため、指針部２１０の指針２１０Ｃはガイドレール２２０Ｒの上プーリ２１０Ｐ１および下プーリ２１０Ｐ２による把持部を中心に回転力が生じて、Ｆｃの方向に傾くことになり、これが指針２１０Ｃの指示ズレおよび上プーリ２１０Ｐ１・下プーリ２１０Ｐ２とガイドレール２２０Ｒ間の摺動摩擦増加を引き起こすことが判明した。
【００２５】
〈本発明の解決策〉
それ故、指針部２１０の指針２１０Ｃに回転力が生じないようにするには、指針部２１０にＦａ方向の力を与えるワイヤ２２０Ｗの位置がガイドレール２２０Ｒと上プーリ２１０Ｐ１・下プーリ２１０Ｐ２に働く力Ｆｂ２の同一線上に来るようにすればよいことが判った。したがって、本発明では、以下に説明するように、指針部２１０にＦａ方向の力を与えるワイヤ２２０Ｗの取り付け位置をガイドレール２２０Ｒと上プーリ２１０Ｐ１・下プーリ２１０Ｐ２に働く力Ｆｂ２の同一線上に来るような構造にすることで、指針部２１０の指針２１０Ｃに回転力が生じなくなり、したがってＦｃの方向に傾くことがなくなり、指針２１０Ｃの指示ズレがなくなり、また上プーリ２１０Ｐ１・下プーリ２１０Ｐ２とガイドレール２２０Ｒ間の摺動摩擦増加もなくなった。
【００２６】
〈本発明に係るセンターレス指針式表示装置１０〉
以下、本発明に係るケース本体３１と目盛板３２と指針部２１と搬送部２２について説明する。
【００２７】
〈ケース本体３１〉
ケース本体３１は運転者側に半円状開口部３１Ｋ（図１）を有するそれ自体が半円状をしたプラスチック製ケースで、内部空間の底部３１Ｔの一端（図１で左端近傍）に指針移動装置２０を収納するためのテンション部品２２Ｓ（図７のテンション部品２２０Ｓと同じにつき図示省略）を収容する収容ケース２２Ｃを備え、底部３１Ｔの他端（図１で右端近傍）にモータ２２Ｍ（図７のモータ２２０Ｍと同じにつき図示省略）で正逆回転させられる巻き戻しプーリ２２Ｐを備えている。
【００２８】
〈目盛板３２〉
目盛板３２はそれ自体半円状をしたプラスチック製薄板で、半円の中心から所定半径の半円状の開口３２Ｋが開けられており、開口３２Ｋの外周に目盛が円弧状に記載されている。図１はスピードメータの目盛例を示しており、０、２０、４０、・・・、１４０、１６０（ｋｍ／時間）の数字が略半円弧又は楕円形状にそれぞれ所定の間隔をあけて記載されている。目盛板３２はケース本体３１の半円状開口部３１Ｋを塞ぐようにケース本体３１に取り付けられる。開口３２Ｋの内側空間には液晶表示器などが配置される。目盛板３２の裏側にはガイドレール２２Ｒが配置される。
【００２９】
〈指針部２１〉
《指針２１Ｃの第１支持部材２１Ａへの取り付け》
図１に戻って、搬送部２２上を移動する指針部２１は、図２の指針移動装置の斜視図、図３の分解斜視図、および図４の縦断面図から分かるように、第１支持部材２１Ａと第２支持部材２１Ｂとがコイルスプリング２１Ｓを挟んで一体に嵌合された支持部材２１Ｚ（図４）と、第１支持部材２１Ａに嵌合する指針２１Ｃとから成っている。すなわち、第１支持部材２１Ａの上部端面に片持ちアーム状の指針固定部２１Ｋを形成し、一方、縦に長尺状をした指針２１Ｃの長手方向の下端から上端に向かうに従って徐々に厚みが太くなる錐状に形成されたその上端幅広部に固定用開口部２１Ｌを形成し、この固定用開口部２１Ｌに指針固定部２１Ｋが嵌合することで指針２１Ｃが第１支持部材２１Ａに、したがってまた支持部材２１Ｚに、取り付けられる。
【００３０】
《指針部２１のワイヤ２２Ｗへの固定》
さらに、第１支持部材２１Ａの上部中央にワイヤ固定溝２１Ｗ（図４）が形成されており、このワイヤ固定溝２１Ｗにワイヤ２２Ｗ（図４）が食い込み固定されている。
したがってワイヤ２２Ｗが搬送部２２によって引き出されたり・巻き戻されることで、第１支持部材２１Ａは、したがってまた指針部２１は目盛板３２（図１）の目盛の延在方向に沿って移動するようになる。
【００３１】
《指針部２１のガイドレール２２Ｒへの取り付け》
図２〜図４から分かるように、第１支持部材２１Ａの上部で指針固定部２１Ｋの軸方向を挟んで前後にあるそれぞれのプーリ軸支持部２１Ｑ１を介して上プーリ２１Ｐ１、２１Ｐ１がそれぞれ設けられ、また、第２支持部材２１Ｂの下端には第１支持部材２１Ａの指針固定部２１Ｋの軸方向にプーリ軸支持部２１Ｑ２を介して下プーリ２１Ｐ２が設けられている。
また、第１支持部材２１Ａにはコイルスプリング２１Ｓの側面を一部収容する収容溝２１Ｍａとコイルスプリング２１Ｓの下部を押さえる当接部２１Ｔａが形成されており、第２支持部材２１Ｂにはコイルスプリング２１Ｓの前記側面と反対側の側面を一部収容する収容溝２１Ｍｂとコイルスプリング２１Ｓの上部を押さえる当接部２１Ｔｂが形成されている。
したがって、第１支持部材２１Ａの収容溝２１Ｍａと第２支持部材２１Ｂの収容溝２１Ｍｂ間にコイルスプリング２１Ｓを収容し、かつ第１支持部材２１Ａの当接部２１Ｔａと第２支持部材２１Ｂの当接部２１Ｔｂとの間にコイルスプリング２１Ｓの下部と上部を収容することで、コイルスプリング２１Ｓに反発力が生じ、この反発力が第１支持部材２１Ａを下方へ押し、かつ第２支持部材２１Ｂを上方へ押すように作用し、その結果、上プーリ２１Ｐ１と下プーリ２１Ｐ２が常時互いに接近する方向に付勢されるようになる。
したがって、２個の上プーリ２１Ｐ１の凹部と１個の下プーリ２１Ｐ２の凹部間にガイドレール２２Ｒの上下の凸部２２Ｔ１、２２Ｔ２を挟むことで、支持部材２１Ｚは、すなわち、指針部２１はガイドレール２２Ｒに確実に把持され、これにより指針部２１は搬送部２２の上を搬送されるようになる。
【００３２】
〈搬送部２２〉
搬送部２２は、ガイドレール２２Ｒ（図２）と、ガイドレール２２Ｒの一長辺面に所定間隔をあけて設けられた複数のガイドプーリ２２Ｇ（図６のガイドプーリ２２０Ｇと同じにつき図示省略）と、各ガイドプーリ２２Ｇに亘って引き渡されるワイヤ２２Ｗ（図２）と、略半円弧又は楕円形状のガイドレール２２Ｒの長さ方向の一端（図１で左側）に設けられて常時反円弧方向にテンションを加えるテンション部品を収容するテンション部品収容ケース２２Ｃ（図１）と、ガイドレール２２Ｒの他端（図１で右側）に設けられた巻き戻しプーリ２２Ｐと、巻き戻しプーリ２２Ｐを正逆回転させるモータ２２Ｍ（図６のモータ２２０Ｍと同じにつき図示省略）と、指針部２１にある照明用ＬＥＤへ給電するための略半円弧又は楕円形状の導電部品２２Ｌ（図７の導電部品２２０Ｌと同じにつき図示省略）と、同じく導電部品２２Ｌを覆うための導電部品カバー２２Ｋ（図７の導電部品カバー２２０Ｋと同じにつき図示省）とを備えている。
ガイドレール２２Ｒは、長さ方向には略半円弧又は楕円形状をしており、その断面はコ字を立てた形状（図２、図３）であり、その上下の脚部外側にそれぞれ凸部２２Ｔ１、２２Ｔ２を備えている。
また、ワイヤ２２Ｗの一端をテンション部品２２Ｓ（図７の２２０Ｓ参照）に結合してワイヤ２２Ｗを常時反円弧方向に付勢すると共にワイヤ２２Ｗの他端を巻き戻しプーリ２２Ｐに結合してモータ２２Ｍの正回転によってワイヤ２２Ｗを所望の長さだけテンション部品２２Ｓ側から引き出し、またモータ２２Ｍの逆回転によってワイヤ２２Ｗを所望の長さだけテンション部品２２Ｓによってテンション部品２２Ｓ側へ巻き戻すことができるようにしている。
【００３３】
〈指針部２１の搬送部２２への取り付け〉
指針部２１を搬送部２２へ取り付けるには、図２〜図４に示すように、搬送部２２のガイドレール２２Ｒの上の凸部２２Ｔ１と下の凸部２２Ｔ２とにそれぞれ指針部２１の２個の上プーリ２１Ｐ１の凹部と１個の下プーリ２１Ｐ２の凹部とを嵌め込んで挟むことで、支持部材２１Ｚはガイドレール２２Ｒに確実に取り付けられる。
そして、ワイヤ２２Ｗが第１支持部材２１Ａに形成されたワイヤ固定溝２１Ｗ（図３、図４）に食い込み固定されているので、モータによる巻き戻しプーリ２２Ｐ（図１）の正逆回転によりワイヤ２２Ｗが所望の長さだけテンション部品収容ケース２２Ｃ（図１）側から引き出されたり、引き戻されたりする毎に、指針部２１は目盛板３２の目盛（図１）の延在方向に沿って移動するようになる。
【００３４】
〈本発明による先行発明の問題点の解決〉
以上のように、本発明では、ガイドレール２２Ｒに沿って移動する指針部２１は、図４のように、縦コ字状のガイドレール２２Ｒの上面２点と下面１点の３点でプーリ２２Ｐ１、２２Ｐ１、２２Ｐ２を介してガイドレール２２Ｒを挟むように設置され、かつ指針部２１を牽引するワイヤ２２Ｗのワイヤ固定溝２１Ｗは縦コ字状のガイドレール２２Ｒの上面と下面を結ぶ線上に来るようにしているので、図４において、コイルスプリング２１Ｓによる反発力Ｆｂ１’によりワイヤ２２Ｗのワイヤ固定溝２１Ｗに作用するＦａ’方向の力が、ガイドレール２２Ｒと上プーリ２１Ｐ１・下プーリ２１Ｐ２に働く力Ｆｂ２’と同じ線上にあるので、指針部２１の指針２１Ｃには回転力が生じなくなり、したがって先行発明のようなＦｃ（図１１）の方向に傾くことが本発明によって生じなくなり、よって指針２１Ｃの指示ズレおよび上プーリ２１Ｐ１・下プーリ２１Ｐ２とガイドレール２２Ｒ間の摺動摩擦増加がなくなった。
【００３５】
〈本発明の第２の実施形態に係る指針移動装置〉
以上は、先行発明の問題点を解決した本発明の第１の実施形態に係る指針移動装置の例であったが、これと並んで先行発明には次のような問題点を備えていた。
【００３６】
《先行発明の問題点２》
図８の支持部材２１０Ｚは第１支持部材２１０Ａと第２支持部材２１０Ｂとがコイルスプリング２１０Ｓを挟んで一体に嵌合されたものであるが、何らかの強い振動が生じたとき、第１支持部材２１０Ａから第２支持部材２１０Ｂが外れて、第２支持部材２１０Ｂが落下する恐れがあり、第２支持部材２１０Ｂが落下すると、最終的に、指針取り付け部全体がガイドレール２２０Ｒから脱落することとなった。
【００３７】
《指針の改良例》
図１２は図８の指針の備えた問題点を解決する改良例である。
図１２において、指針２１０Ｃには上方にストッパ用ボス２１０Ｈが形成され、指針２１０Ｃが指針固定部２１０Ｋに組み付けられた状態で、そのストッパ用ボス２１０Ｈが入り込む当接部２１０Ｔａの部位に嵌合用凹部２１０Ｇが形成されている。これによれば、仮に強い振動が生じて第２支持部材２１０Ｂが第１支持部材２１０Ａから外れて落下しようとしても、図１２（Ａ）のように、指針２１０Ｃには上方にストッパ用ボス２１０Ｈが当接部２１０Ｔａの嵌合用凹部２１０Ｇに嵌合しているので、落下できなくなる。
【００３８】
《改良例の持つ問題点》
ところが、この改良例にも問題点が見つかった。それは、ストッパ用ボス２１０Ｈが当接部２１０Ｔａの嵌合用凹部２１０Ｇに嵌合した後は問題ないが、組み付け途中に問題が生じる。組み付け順序として、指針２１０Ｃは最後に組み付けるため、組み付け作業の途中でストッパ用ボス２１０Ｈが嵌合用凹部２１０Ｇに嵌合するまでは指針取り付け部全体がガイドレール２２０Ｒから脱落する恐れがあった。
【００３９】
〈第２の実施形態の目的〉
第２の実施形態の目的は、上記問題点を解消するもので、組み付け作業の途中においても、指針取り付け部全体がガイドレールから脱落する恐れのない指針移動装置を提供することにある。
【００４０】
〈第２の実施形態の構成〉
本発明の第２実施形態である指針移動装置の分解斜視図である図１３とその縦断面図である図１４において、コイルスプリング２１Ｓの上部を押さえる第２支持部材２１Ｂ（図１３）にストッパー用爪２１Ｎを形成し、かつ、コイルスプリング２１Ｓの下部を押さえる第１支持部材２１Ａ（図１３）と第２支持部材２１Ｂとを組み合わせた状態で第１支持部材２１Ａの前記ストッパー用爪２１Ｎが対向する部位に規制用穴部２１Ｍ（図１４）を形成したのが特徴である。
【００４１】
〈第２の実施形態の効果〉
これによれば、第２支持部材２１Ｂのストッパー用爪２１Ｎが第１支持部材２１Ａの規制用穴部２１Ｍに嵌め込まれた状態で下方への移動が規制されているので、第２支持部材２１Ｂが第１支持部材２１Ａから外れて落下しようとしても、落下できなくなる。
このように第２の実施形態によれば、第１支持部材２１Ａに第２支持部材２１Ｂを取り付けた時点で、スプリング２１Ｓの張力によりガイドレール２２Ｒ’に押さえ付けられる力以上の外力がスプリング２１Ｓの張力の反対方向に働いた場合でも、指針取付部がガイドレール２２Ｒ’から脱落するのを防止することができる。
【００４２】
〈第１の実施形態と第２の実施形態の合体〉
以上説明した第１の実施形態と第２の実施形態とは互いに相反するものではなく、両者を合体することも可能である。第１の実施形態である図３および図４において、第２支持部材２１Ｂのストッパー用爪２１Ｎと、第１支持部材２１Ａの規制用穴部２１Ｍとが描かれている。図３および図４におけるストッパー用爪２１Ｎと規制用穴部２１Ｍの機能および効果は、第２の実施形態の図１３および図１４におけるストッパー用爪２１Ｎと規制用穴部２１Ｍの機能および効果とまったく同じである。
このように第２の実施形態によれば、第１支持部材２１Ａに第２支持部材２１Ｂを取り付けた時点で、スプリング２１Ｓの張力によりガイドレール２２Ｒ’に押さえ付けられる力以上の外力がスプリング２１Ｓの張力の反対方向に働いた場合でも、指針取付部がガイドレール２２Ｒ’から脱落するのを防止することができるようになる。
したがって、第１の実施形態においても、第２の実施形態を実施することで、第１支持部材２１Ａに第２支持部材２１Ｂを取り付けた時点で、スプリング２１Ｓの張力によりガイドレール２２Ｒに押さえ付けられる力以上の外力がスプリング２１Ｓの張力の反対方向に働いた場合でも、指針取付部がガイドレール２２Ｒから脱落するのを防止することができる。
【００４３】
〈まとめ〉
以上、本発明によれば、指針部の指針には回転力が生じなくなり、したがって指針の指示ズレおよび上プーリ・下プーリとガイドレール間の摺動摩擦増加がなくなる。
また、第１支持部材に第２支持部材を取り付けた時点で、スプリングの張力によりガイドレールに押さえ付けられる力以上の外力がスプリングの張力の反対方向に働いた場合でも、指針取付部がガイドレールから脱落するのを防止することができる。
そして、スプリングの張力により第１支持部材に第２支持部材をガイドレールに押さえ付けることで保持しているため、複数のＲ形状を組み合わせたガイドレールに対応可能な特性を維持しつつ確実に固定できる。
さらに、指針を打ち込む前に指針取付部をガイドレールに固定し、脱落を防止することができるので、組み付け作業性が向上する。
【符号の説明】
【００４４】
１０  本発明に係るセンターレス指針式表示装置
２０  指針移動装置
２１  指針部
２１Ａ  第１支持部材
２１Ｂ  第２支持部材
２１Ｃ  指針
２１Ｋ  指針固定部
２１Ｌ  固定用開口部
２１Ｐ１、２１Ｐ２  プーリ
２１Ｑ１、２１Ｑ２  プーリ軸支持部
２１Ｓ  コイルスプリング
２１Ｗ  ワイヤ固定溝
２１Ｚ  支持部材（第１支持部材２１Ａ＋第２支持部材２１Ｂ）
２１Ｍ  規制用穴部
２１Ｎ  ストッパー用爪
２２  搬送部
２２Ｃ  テンション部品収容ケース
２２Ｌ  導電部品
２２Ｍ  モータ
２２Ｐ  巻き戻しプーリ
２２Ｓ  テンション部品
２２Ｒ  ガイドレール
２２Ｗ  ワイヤ
３０  収納ケース
３１  ケース本体
３１Ｋ  半円状開口部
３１Ｔ  底部
３２  目盛板
３２Ｋ  開口
【図１】
0005495445.tif 000002
【図２】
0005495445.tif 000003
【図３】
0005495445.tif 000004
【図４】
0005495445.tif 000005
【図５】
0005495445.tif 000006
【図６】
0005495445.tif 000007
【図７】
0005495445.tif 000008
【図８】
0005495445.tif 000009
【図９】
0005495445.tif 000010
【図１０】
0005495445.tif 000011
【図１１】
0005495445.tif 000012
【図１２】
0005495445.tif 000013
【図１３】
0005495445.tif 000014
【図１４】
0005495445.tif 000015